(57)【特許請求の範囲】
【請求項１】
表示装置から前記表示装置の表示機能に関する表示機能情報を受信する受信手段と、
撮影手段と、
前記撮影手段で撮影された画像データを記録する記録手段と、
前記画像データと、前記表示機能情報によって示されるフレーム枠と、を表示部に表示させる表示手段と、
前記画像データにおいて前記フレーム枠に収められた部分の画像データを前記表示装置に送信する送信手段と、
を有し、
前記表示手段は、前記フレーム枠を、ユーザの指示に基づいて移動させ、
前記表示機能情報は取得したＳＳＩＤに含まれる、
通信装置。
【請求項２】
請求項１に記載の通信装置において、
前記表示手段は、当該通信装置の前記表示部を回転させる操作が行われた場合、前記表示部の回転にあわせて、前記フレーム枠を表示させる、通信装置。
【請求項３】
請求項１又は２いずれかに記載の通信装置において、
前記表示機能情報は、画像データのアスペクト比又は解像度を含む、通信装置。
【請求項４】
通信プログラムであって、
コンピュータに、
表示装置から、取得したＳＳＩＤに含まれる前記表示装置の表示機能に関する表示機能情報を受信するステップ、
撮影するステップ、
撮影された画像データを記録するステップ、
前記画像データと、前記表示機能情報によって示されるフレーム枠と、を表示部に表示させるステップ、
前記フレーム枠を、ユーザの指示に基づいて移動させるステップ、
前記画像データにおいて前記フレーム枠に収められた部分の画像データを前記表示装置に送信するステップ、
を実行させるための通信プログラム。
【請求項５】
通信装置と、表示装置と、を有する画像表示システムであって、
前記表示装置の表示機能情報を受信する表示機能情報受信手段と、
撮影手段と、
前記撮影手段で撮影された画像データを記録する記録手段と、
前記画像データと、前記表示機能情報によって示されるフレーム枠と、を前記通信装置の表示部に表示させる通信装置表示手段と、
前記記録手段が記録した前記画像データを前記表示装置に送信する送信手段と、
送信された前記画像データを表示させる表示手段と、
を有し、
前記通信装置表示手段は、前記フレーム枠を、ユーザの指示に基づいて移動させ、
前記表示機能情報は当該通信装置が取得したＳＳＩＤに含まれる、
画像表示システム。
【発明の詳細な説明】
【技術分野】
【０００１】
本発明は、通信装置、通信プログラム、及び画像表示システムに関する。
【背景技術】
【０００２】
異なる２種類の端末で画像データの送受信を行い、受信した画像データを端末の表示領域で表示させると、意図しない画像データの縮小が起きる場合があった。特に、スマートフォンの表示領域は縦長であり、モニタやプロジェクタなどの表示装置の表示領域は横長である。そのため、スマートフォンで撮影した画像をプロジェクタに表示させようとした場合、画像が縮小され、ユーザが意図しない形式で表示される問題があった。それを解消するため、ユーザが、撮影時に、表示装置に適合するファインダーを選択して、画像を撮影する技術が知られている（例えば、特許文献１などを参照）。
【発明の概要】
【発明が解決しようとする課題】
【０００３】
上述した従来技術では、画像を表示する表示装置のアスペクト比や形状にあわせて、撮影を行うことができた。しかしながら、ユーザが、表示装置のアスペクト比や形状に合致するファインダーの形状を選択する必要があり、ユーザにとって煩雑な処理が生じるという問題があった。また、表示装置のアスペクト比や形状などをユーザが知っておく必要があり、アスペクト比や形状に関して知識のないユーザにとって、ファインダーの形状の選択は、困難を伴うという問題が更にあった。
【０００４】
本発明は、上記の従来の問題点に鑑み提案されたものであり、その目的とするところは、ユーザに煩雑な処理を行わせることなく、表示装置に適合する形式で撮影が行える通信装置、通信プログラム、及び画像表示システムを提供することにある。
【課題を解決するための手段】
【０００５】
上記目的を達成するため、例えば、通信装置であって、表示装置から前記表示装置の表示機能に関する表示機能情報を受信する受信手段と、撮影手段と、前記撮像手段で撮影された画像データを記録する記録手段と、前記画像データと、前記表示機能情報によって示されるフレーム枠と、を表示部に表示させる表示手段と、前記画像データにおいて前記フレーム枠に収められた部分の画像データを前記表示装置に送信する送信手段とを有し、前記表示手段は、前記フレーム枠を、ユーザの指示に基づいて移動させ、前記表示機能情報は取得したＳＳＩＤに含まれる。
【発明の効果】
【０００６】
本発明の一側面にあっては、ユーザに煩雑な処理を行わせることなく、ユーザは表示装置に適合する形式で撮影が行える。
【図面の簡単な説明】
【０００７】
【図１】本実施形態における画像表示システムの構成例を示す図である。
【図２】本実施形態におけるプロジェクタのハードウエアの構成例を示す図である。
【図３】本実施形態における通信端末のハードウエアの構成例を示す図である。
【図４】本実施形態における画像表示システムの機能構成例を示す図である。
【図５】本実施形態におけるＳＳＩＤに表示機能情報を含めた例を示す図である。
【図６】本実施形態における通信端末に記憶される表示機能情報の構造例を示す図である。
【図７】本実施形態における通信端末に表示されるファインダーの例を示す図である。
【図８】本実施形態における通信端末を横向きにした場合に生成されるファインダーの例を示す図である。
【図９】本実施形態における通信端末による表示機能情報の取得から撮影した画像データをプロジェクタに表示するまでの流れを示すシーケンス図である。
【図１０】変形例における画像表示システムの機能構成例を示す図である。
【発明を実施するための形態】
【０００８】
以下、本発明の好適な実施形態について説明する。
【０００９】
＜システム構成＞
図１は本実施形態における画像表示システム１の構成例を示す図である。画像表示システム１は、プロジェクタ２と通信端末３とを有する。プロジェクタ２と通信端末３は、ネットワークを介して接続される。また、無線ＬＡＮ（Local Area Network）のアドホックモードで、プロジェクタ２と通信端末３とが接続されてもよい。
【００１０】
プロジェクタ２は通信端末３から送信された画像データを投影面へ表示する。また、プロジェクタ２は、当該表示装置の表示機能情報を通信端末３へ送信する。プロジェクタ２は、表示機能を備えるモニタなどでもよい。
【００１１】
通信端末３はプロジェクタ２の表示機能に関する表示機能情報を取得する。表示機能情報にはアスペクト比又は解像度などの情報が含まれる。表示機能情報の詳細は後述する。取得した表示機能情報にしたがって、通信端末３は撮影機能を設定し、撮影を行う。その後、設定にしたがって撮影した画像データを記録し、プロジェクタ２へ送信する。通信端末３は、例えば、撮影機能を有するスマートフォン、タブレットＰＣなど、又は通信機能を有するデジタルカメラなどである。
【００１２】
＜ハードウエア構成＞
≪プロジェクタ≫
図２は本実施形態におけるプロジェクタ２のハードウエアの構成例を示す図である。
【００１３】
プロジェクタ２は、バス２００で相互に接続されているＲＡＭ２０１、ＣＰＵ２０２、フラッシュメモリ２０３、通信Ｉ／Ｆ２０４、ＥＥＰＲＯＭ（Electrically Erasable Programmable Read-Only Memory）２０５、操作部２０６、映像入力部２０７、映像出力部２０８、ランプ２０９を有する。
【００１４】
ＲＡＭ２０１は、ＣＰＵ２０２によるプログラムの実行のため、一時的に読み出したプログラムやデータを記憶するために用いられる。ＣＰＵ２０２は、プログラムを実行させ、装置全体を制御するために用いられる。フラッシュメモリ２０３、ＥＥＰＲＯＭ２０５は、画像データ又は音声データなどの各種データを記憶するために用いられる。
【００１５】
通信Ｉ／Ｆ２０４は、データ伝送路やネットワークを介して通信端末３と画像データの送受信を行うために用いられる。操作部２０６は、ユーザからの操作を受けつけ、画像の明るさ調整、音量調整などの操作を行うために用いられる。
【００１６】
映像入力部２０７は、通信Ｉ／Ｆ２０４を介して接続される通信端末３から画像データの入力を受けつけるために用いられる。映像出力部２０８は、例えば、液晶表示装置であり、映像入力部２０７から受けつけた画像データを出力するために用いられる。ランプ２０９は、例えば、ハロゲンランプであり、発光し、投影レンズ（図示せず）を介して画像データをホログラムスクリーンなどの投影面に投影するために用いられる。
【００１７】
≪通信端末≫
図３は本実施形態における通信端末３のハードウエアの構成例を示す図である。通信端末３はＥＥＰＲＯＭ（Electrically Erasable Programmable Read-Only Memory）３０１、ＲＯＭ（Read Only Memory）３０２、ＲＡＭ（Random Access Memory）３０３、ＣＰＵ（Core Process Unit）３０４、カメラ３０５、入力部３０６、表示部３０７、集音部３０８、発音部３０９、ドライブ３１０、移動体通信部３１２、無線ＬＡＮ通信部３１３を備え、それぞれがバスＢで接続される。ドライブ３１０には記憶媒体３１１が接続される。
【００１８】
ＥＥＰＲＯＭ３０１は、ＣＰＵ３０４が実行するプログラム及びデータなどを記憶するために用いられる。プログラムは、例えば、ＯＳ、ミドルウェア、各種機能を提供するアプリケーションなどである。
【００１９】
ＲＯＭ３０２はＩＰＬ（Initial Program Loader）や静的なデータなどを記憶するために用いられる。
【００２０】
ＲＡＭ３０３はＣＰＵ３０４からの起動要求に応じてＥＥＰＲＯＭ３０１などからプログラムを読み出し、ＲＡＭ内に格納する。
【００２１】
ＣＰＵ３０４は、ＲＡＭ３０３などに格納されたプログラムにしたがって、演算処理を実行する。
【００２２】
カメラ３０５は、被写体を撮影し、画像データを生成するために用いられる。カメラ３０５は、例えば、ＣＭＯＳ（Complementary Metal-Oxide Semiconductor）やＣＣＤ（Charge Coupled Device）などで構成される。
【００２３】
入力部３０６はユーザから操作を受け付ける。入力部３０６は、例えば、タッチパネルである。
【００２４】
表示部３０７は各種データや操作画面などを出力表示する。出力部３０７は、例えば、液晶ディスプレイである。
【００２５】
集音部３０８は音の入力を行う。集音部３０８は例えば、集音マイクである。
【００２６】
発音部３０９は通信端末３が有する音を出力する。発音部３０９は、例えば、スピーカである。
【００２７】
ドライブ３１０は記憶媒体からデータを読み出し、あるいは記憶媒体３１１への書き込みを行う。記憶媒体３１１は、フラッシュメモリ等の半導体メモリ等、様々なタイプの記憶媒体を用いることができる。
【００２８】
移動体通信部３１２は、ＬＴＥ（Long Term Evolution）など携帯電話の通信方式を用いて無線通信を行う。
【００２９】
無線ＬＡＮ通信部３１３は、ＩＥＥＥ８０２．１１シリーズなど無線ＬＡＮ通信規格に準拠した通信方式を用いて無線通信を行う。
【００３０】
＜機能構成＞
図４は本実施形態における画像表示システム１の機能構成例を示す図である。画像表示システム１の構成要素ごとに説明する。
【００３１】
≪プロジェクタ≫
プロジェクタは表示部２１、表示機能情報記憶部２２、表示機能情報送信部２３、及び通信制御部２４を有する。
【００３２】
表示部２１は、通信制御部を介して受信した画像データを表示する。
【００３３】
表示機能情報記憶部２２は、プロジェクタの表示機能情報を記憶する。
【００３４】
表示機能情報は、「装置名」、「機種名」、「アスペクト比」、「解像度」などの情報項目を有する。「装置名」はプロジェクタ２の識別情報である。「機種名」はプロジェクタ２の型番などの示す情報である。「アスペクト比」は、画面のアスペクト比を示す情報である。「アスペクト比」は画面の横縦の比で記載される。「解像度」は、画面解像度を示す情報である。「解像度」は横×縦の画素数で表現される。また、表示機能情報は、少なくともアスペクト比及び解像度を有すればよい。
【００３５】
表示機能情報送信部２３は、表示機能情報を送信する。表示機能情報は、例えば、ＳＳＩＤ（Service Set Identifier）などに含めて送信される。
【００３６】
図５はＳＳＩＤに表示機能情報を含めた場合の例である。図５の示す例では、０から４バイトが「機種名」、５から１２バイトが「アスペクト比」、１３から２３バイトが「解像度」、２４から３１バイトが「装置名」を示している。図５が示す表示機能情報は、機種名が「ＰＪ００１」、アスペクト比が「１６：１０」、解像度が１２８０×８００（ＷＸＧＡ（Wide-eXtended Graphics Array））、装置名が「ＰＪＡＢＣ」であることを示す。
【００３７】
ＳＳＩＤに表示機能情報を含めることにより、通信端末３はネットワーク識別子を示すＳＳＩＤと表示機能情報を対応付けて管理することができる。
【００３８】
また、表示機能情報の送信は、ＳＳＩＤに含める方法に限定されず、プロジェクタ２が所定の周期で発信するビーコン信号に含めることもできる。あるいは、通信端末３との接続が完了後にＨＴＴＰ（Hypertext Transfer Protocol）などの通信プロトコルを用いて表示機能情報を送信する形式であってもよい。
【００３９】
通信制御部２４は、通信端末３との通信を制御する。
【００４０】
≪通信端末≫
通信端末３は、表示機能情報取得部３１、表示機能情報記憶部３２、撮影機能設定部３３、ファインダー生成部３４、表示部３５、撮影部３６、画像データ記憶部３７、画像表示要求部３８、及び通信制御部３９を有する。
【００４１】
表示機能情報取得部３１は、表示機能情報の取得を行う。また、表示機能情報取得部３１は、取得した表示機能情報を表示機能情報記憶部３２に保存する。表示機能情報取得部３１は、プロジェクタ２から装置名もしくはネットワーク識別子を取得した場合、表示機能情報記憶部３２に該当する表示機能情報が存在するか否かを確認する。該当する表示機能情報が存在する場合、表示機能情報取得部３１は、該当する表示機能情報を表示機能情報記憶部３２から取得する。該当する表示機能情報が存在しない場合、プロジェクタ２から表示機能情報を取得する。また、表示機能情報取得部３１は、ＳＳＩＤなどプロジェクタ２のネットワーク識別子に表示機能情報が含まれている場合、取得したネットワーク識別子から表示機能情報を抽出する。
【００４２】
表示機能情報記憶部３２は、表示機能情報を記憶する。
【００４３】
図６は表示機能情報記憶部３２に保持される表示機能情報のデータ構造例を示す図である。表示機能情報記憶部３２は、例えば、「装置名」、「機種名」、「アスペクト比」、「解像度」、「ＳＳＩＤ」などの情報項目を有する。表示機能情報記憶部３２は、表示機能情報を装置名もしくはＳＳＩＤと関連付けて記憶する。なお、表示装置を識別する情報は「ＳＳＩＤ」に限定されず、例えば、プロジェクタ２との接続時に用いられるその他の識別情報が記憶されてもよい。
【００４４】
撮影機能設定部３３は、表示機能情報取得部３１によって取得された表示機能情報に含まれるアスペクト比及び解像度などにしたがって、撮影機能の設定を行う。
【００４５】
ファインダー生成部３４は、撮影機能設定部３３によって設定された内容にしたがって撮影用のファインダーを生成し、表示部３０７に画像データを表示する。
【００４６】
図７は本実施形態におけるファインダー生成部３４が生成するファインダーのイメージ図である。図７（ａ）では、アスペクト比が９：１６の表示部３０７を有する通信端末に、アスペクト比が１６：１０のプロジェクタに対応する形式で、ファインダーを生成した例である。Ｇ１は通信端末本体である。Ｇ２は、通信端末３の表示領域である。Ｇ３は表示領域Ｇ２に生成されたアスペクト比１６：１０のファインダーである。
【００４７】
また、図７（ｂ）に示すように、画像領域に表示される画像データ内に、表示機能情報に含まれるアスペクト比と同一の横縦比を有するフレーム枠を表示させてもよい。図７（ｂ）は、横縦比が１６：１０のフレーム枠Ｇ７がファインダーＧ６内に表示された例である。このような構成を有することにより、ユーザは、撮影中に、画像データがプロジェクタ２にどのように表示されるかを知ることができる。
【００４８】
また、ファインダー生成部３４は、通信端末３の縦横を回転させる操作が行われた場合、表示機能情報に含まれるアスペクト比にしたがって、ファインダーを再生成する。図８は、通信端末を縦から横に回転させた場合に表示されるファインダーの例を示す図である。図８では、図７で示したように横縦比１６：１０のアスペクト比のプロジェクタ２に対応する形式でファインダーを生成した例である。Ｇ８は通信端末本体である。Ｇ９は通信端末３の表示領域である。Ｇ１０は通信端末３が生成されたアスペクト比１６：１０のファインダーである。
【００４９】
ファインダー生成部３４は、ファインダーに表示されている画像データを拡縮する操作が行われた場合、アスペクト比を変更せずに画像データを拡縮し、表示させる。
【００５０】
表示部３５はファインダー生成部３４によって生成されたファインダーを介して画像データを表示する。
【００５１】
撮影部３６は、ファインダーに表示されている画像データを記録し、画像データ記憶部３７に記憶する。撮影部３６は画像データを記録する際、ファインダーに表示されている画像データを記録する。加えて、異なる形式で画像データを記録してもよい。異なる形式とは、例えば、通信端末３の表示部３０７のアスペクト比及び解像度に対応する形式である。また、予め、通信端末３に設定されている撮影機能の設定値にしたがって、撮影部３６が画像データを記録してもよい。
【００５２】
なお、図７（ｂ）のようにファインダー内にフレーム枠が表示される場合、フレームの枠内の画像データ及びフレーム枠外を含む画像データが保存されてもよい。
【００５３】
画像データ記憶部３７は、撮影部３６によって撮影された画像データを記憶する。
【００５４】
画像表示要求部３８は、プロジェクタ２に対して表示させたい画像データを画像データ記憶部３７から取得し、プロジェクタ２へ送信する。
【００５５】
通信制御部３９は、所定の通信プロトコルを用いて、プロジェクタ２との通信を行う。
【００５６】
上述した構成を有することにより、ユーザが煩雑な処理を行うことなく、画像を表示させるプロジェクタ２のアスペクト比に対応する形式で画像データを撮影することができる。これにより、ユーザが意図した通りに画像をプロジェクタ２に表示させることができる。
【００５７】
＜処理手順＞
図９は、本実施形態における通信端末３による表示機能情報の取得から撮影した画像データを表示装置へ送信するまでの流れを示すシーケンス図である。
【００５８】
ステップＳ１で、プロジェクタ２はビーコン信号により、周辺にある機器に対してＳＳＩＤを報知する。
【００５９】
ステップＳ２で、通信端末３はプロジェクタ２からＳＳＩＤを取得し、ＳＳＩＤから表示機能情報を取得する。
【００６０】
ステップＳ３で、通信端末３及びプロジェクタ２は、無線通信の接続を完了する。
【００６１】
ステップＳ４で、ユーザによって撮影機能の起動が要求される。
【００６２】
ステップＳ５で、撮影機能が起動されると共に、取得した表示機能情報が撮影機能に設定される。
【００６３】
ステップＳ６で、ユーザから撮影の操作が行われる。
【００６４】
ステップＳ７で、生成されたファインダーに対応する形式で画像データが保存される。また、ファインダーに対応する形式とは異なる、通信端末３の表示領域に対応する画像データを併せて保存してもよい。
【００６５】
ステップＳ８で、ユーザからプロジェクタ２へ画像データを表示させる操作が行われる。
【００６６】
ステップＳ９で、通信端末３は、プロジェクタ２に対して、表示機能情報にしたがって撮影された画像データをプロジェクタ２へ送信する。
【００６７】
ステップＳ１０で、通信端末３は、プロジェクタ２に対して、送信した画像データの表示要求を行う。
【００６８】
ステップＳ１１で、プロジェクタ２は、通信端末３から受信した画像データを表示する。
【００６９】
＜変形例＞
上述した実施形態の変形例について説明する。変形例では、撮影された画像データからプロジェクタ２で表示させたい部分を切り出し、プロジェクタ２に画像データを送信する構成について説明する。なお、実施形態と異なる事項について説明を行い、同じ事項は、同一の参照符号を付し、その説明を省略する。
【００７０】
図１０は変形例における画像表示システム１の機能構成例を示す図である。変形例において、通信端末３は画像切り出し部４０を有する。画像切り出し部４０は、撮影された画像データもしくは画像データ記憶部３７に記憶されている画像データから、プロジェクタ２に表示させる部分の切り出しを行う。画像切り出し部４０は、表示機能情報に含まれるアスペクト比に基づき、表示した画像データにフレーム枠などを表示させる。ユーザは、フレーム枠を移動させ、プロジェクタ２を介して表示させたい部分をフレーム枠におさめ、その部分を切り出す。切り出された部分は、画像データ記憶部３７に新たな画像データとして記憶される。保存された画像データは、画像表示要求部３８によって、プロジェクタ２へ送信される。
【００７１】
なお、上述の実施例の全部又は一部はプログラムによって実装され得る。このプログラムは、可搬記録媒体に格納することができる。可搬記録媒体とは、非一時的（ｎｏｎ−ｔｒａｎｓｉｔｏｒｙ）な記憶媒体を言う。可搬記録媒体の例としては、磁気記録媒体、光ディスク、光磁気記録媒体、不揮発性メモリなどがある。可搬型記録媒体に格納されたプログラムが読み出され、プロセッサーによって実行されることにより、本発明の実施例の全部又は一部が実施され得る。
【００７２】
＜総括＞
以上、本発明の好適な実施の形態は、プロジェクタ２が所定のタイミングで表示機能情報を送信する例を示したが、通信端末３からの表示機能情報の送信要求に応じて、プロジェクタ２が表示機能情報を送信する構成であってもよい。
【００７３】
また、上述の実施形態は、本発明の範囲を限定するものではない。特許請求の範囲に定義された本発明はその広範な趣旨および範囲から逸脱することなく、様々な修正および変更を加えることができることは明らかである。すなわち、具体例の詳細および添付の図面により本発明が限定されるものと解釈してはならない。
【符号の説明】
【００７４】
１      画像表示システム
２      プロジェクタ
２１    表示部
２２    表示機能情報記憶部
２３    表示機能情報送信部
２４    通信制御部
２０１  ＲＡＭ
２０２  ＣＰＵ
２０３  フラッシュメモリ
２０４  通信Ｉ／Ｆ
２０５  ＥＥＰＲＯＭ
２０６  操作部
２０７  映像入力部
２０８  映像出力部
２０９  ランプ
３      通信端末
３１    表示機能情報取得部
３２    表示機能情報記憶部
３３    撮影機能設定部
３４    ファインダー生成部
３５    表示部
３６    撮影部
３７    画像データ記憶部
３８    画像表示要求部
３９    通信制御部
３０１  ＥＥＰＲＯＭ
３０２  ＲＯＭ
３０３  ＲＡＭ
３０４  ＣＰＵ
３０５  カメラ
３０６  入力部
３０７  表示部
３０８  集音部
３０９  発音部
３１０  ドライブ
３１１  記憶媒体
３１２  移動体通信部
３１３  無線ＬＡＮ通信部
【先行技術文献】
【特許文献】
【００７５】
【特許文献１】特開２００２−１０９６６４号公報
【図１】
0006547243.tif 000002
【図２】
0006547243.tif 000003
【図３】
0006547243.tif 000004
【図４】
0006547243.tif 000005
【図５】
0006547243.tif 000006
【図６】
0006547243.tif 000007
【図７】
0006547243.tif 000008
【図８】
0006547243.tif 000009
【図９】
0006547243.tif 000010
【図１０】
0006547243.tif 000011